【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
正の屈折力を有する第１レンズ群と負の屈折力を有する第２レンズ群と正の屈折力を有する第３レンズ群と正の屈折力を有する第４レンズ群と正の屈折力を有する第５レンズ群とが物体側から像側へ順に配置されて成り、
広角端から望遠端へのズーミングの際に、前記第１レンズ群が前記第２レンズ群から離れるように物体側へ移動し、前記第３レンズ群が前記第２レンズ群に近付くように物体側へ移動し、前記第４レンズ群が前記第３レンズ群に近付くように物体側へ移動し、
以下の条件式（１）を満足する
ズームレンズ。
（１）４．５＜１００×Ｄ（Ｔ、２〜３）／ｆＷ＜１５
但し、
Ｄ（Ｔ、２〜３）：望遠端における第２レンズ群の最も像側の面と第３レンズ群の最も物体側の面との光軸上の間隔
ｆＷ：広角端における全光学系の焦点距離
とする。
【請求項２】
前記第３レンズ群が少なくとも二つのレンズによって構成されると共に前記第３レンズ群にレンズ間に形成された少なくとも一つの空気間隔が存在し、
以下の条件式（２）を満足する
請求項１に記載のズームレンズ。
（２）２．０＜ｄ（３、ａｉｒ）／Ｄ（Ｔ、２〜３）
但し、
ｄ（３、ａｉｒ）：第３レンズ群に存在する空気間隔のうち光軸方向において最も大きくされた空気間隔
とする。
【請求項３】
前記第３レンズ群が少なくとも二つのレンズによって構成されると共に前記第３レンズ群にレンズ間に形成された少なくとも一つの空気間隔が存在し、
前記第３レンズ群の空気間隔に光線を遮光する機能を有するシャッター機構を配置した
請求項１又は請求項２に記載のズームレンズ。
【請求項４】
前記第３レンズ群が少なくとも二つのレンズによって構成されると共に前記第３レンズ群にレンズ間に形成された少なくとも一つの空気間隔が存在し、
前記第３レンズ群の最も物体側に配置されたレンズの物体側の面が凸形状に形成にされ、
前記第３レンズ群の最も物体側に配置されたレンズの物体側の面の頂点と前記第３レンズ群の最も像側に配置されたレンズの像側の頂点との間に存在する前記空気間隔に、光束のＦナンバーを決定するＦナンバー決定部材を配置した
請求項１乃至請求項３の何れかに記載のズームレンズ。
【請求項５】
以下の条件式（３）を満足する
請求項１乃至請求項４の何れかに記載のズームレンズ。
（３）５．０＜１００×Ｄ（Ｔ、３〜４）／ｆＷ＜２０
但し、
Ｄ（Ｔ、３〜４）：第３レンズ群の最も像側の面と第４レンズ群の最も物体側の面との光軸上の間隔
とする。
【請求項６】
前記第３レンズ群が、物体側から像側へ順に配置された正レンズと正レンズと負レンズの３枚のレンズにより構成された
請求項１乃至請求項５の何れかに記載のズームレンズ。
【請求項７】
以下の条件式（４）を満足する
請求項１乃至請求項６の何れかに記載のズームレンズ。
（４）２．５＜ｆ３／ｆＷ＜４．０
但し、
ｆ３：第３レンズ群の焦点距離
とする。
【請求項８】
前記第２レンズ群が、物体側から像側へ順に配置された負レンズと負レンズと正レンズの３枚のレンズにより構成された
請求項１乃至請求項７の何れかに記載のズームレンズ。
【請求項９】
以下の条件式（５）を満足する
請求項１乃至請求項８の何れかに記載のズームレンズ。
（５）４．２＜［Ｄ（Ｗ、２〜４）−Ｄ（Ｔ、２〜４）］／ｆＷ＜５．６
但し、
Ｄ（Ｗ、２〜４）：広角端における第２レンズ群の最も物体側の面と第４レンズ群の最も像側の面との光軸上の間隔
Ｄ（Ｔ、２〜４）：望遠端における第２レンズ群の最も物体側の面と第４レンズ群の最も像側の面との光軸上の間隔
とする。
【請求項１０】
ズームレンズと前記ズームレンズによって形成された光学像を電気的信号に変換する撮像素子とを備え、
前記ズームレンズは、
正の屈折力を有する第１レンズ群と負の屈折力を有する第２レンズ群と正の屈折力を有する第３レンズ群と正の屈折力を有する第４レンズ群と正の屈折力を有する第５レンズ群とが物体側から像側へ順に配置されて成り、
広角端から望遠端へのズーミングの際に、前記第１レンズ群が前記第２レンズ群から離れるように物体側へ移動し、前記第３レンズ群が前記第２レンズ群に近付くように物体側へ移動し、前記第４レンズ群が前記第３レンズ群に近付くように物体側へ移動し、
以下の条件式（１）を満足する
撮像装置。
（１）４．５＜１００×Ｄ（Ｔ、２〜３）／ｆＷ＜１５
但し、
Ｄ（Ｔ、２〜３）：望遠端における第２レンズ群の最も像側の面と第３レンズ群の最も物体側の面との光軸上の間隔
ｆＷ：広角端における全光学系の焦点距離
とする。
【手続補正２】
【補正対象書類名】明細書
【補正対象項目名】００１８
【補正方法】変更
【補正の内容】
【００１８】
上記したズームレンズにおいては、前記第３レンズ群が少なくとも二つのレンズによって構成されると共に前記第３レンズ群にレンズ間に形成された少なくとも一つの空気間隔が存在し、前記第３レンズ群の最も物体側に配置されたレンズの物体側の面が凸形状形成にされ、前記第３レンズ群の最も物体側に配置されたレンズの物体側の面の頂点と前記第３レンズ群の最も像側に配置されたレンズの像側の頂点との間に存在する前記空気間隔に、光束のＦナンバーを決定するＦナンバー決定部材を配置することが望ましい。
【手続補正３】
【補正対象書類名】明細書
【補正対象項目名】００１９
【補正方法】変更
【補正の内容】
【００１９】
第３レンズ群の最も物体側に配置されたレンズの物体側の面の頂点と第３レンズ群の最も像側に配置されたレンズの像側の頂点との間に存在する空気間隔に、光束のＦナンバーを決定するＦナンバー決定部材を配置することにより、ズーミング時におけるレンズ群の移動ストロークが長くなる。
【手続補正４】
【補正対象書類名】明細書
【補正対象項目名】００２１
【補正方法】変更
【補正の内容】
【００２１】
ズームレンズが条件式（３）を満足することにより、望遠端における第３レンズ群の最も像側の面と第４レンズ群の最も物体側の面との光軸上の間隔が適正化される。
【手続補正５】
【補正対象書類名】明細書
【補正対象項目名】００２８
【補正方法】変更
【補正の内容】
【００２８】
上記したズームレンズにおいては、以下の条件式（５）を満足することが望ましい。
（５）４．２＜［Ｄ（Ｗ、２〜４）−Ｄ（Ｔ、２〜４）］／ｆＷ＜５．６
但し、
Ｄ（Ｗ、２〜４）：広角端における第２レンズ群の最も物体側の面と第４レンズ群の最も像側の面との光軸上の間隔
Ｄ（Ｔ、２〜４）：望遠端における第２レンズ群の最も物体側の面と第４レンズ群の最も像側の面との光軸上の間隔
とする。
【手続補正６】
【補正対象書類名】明細書
【補正対象項目名】００２９
【補正方法】変更
【補正の内容】
【００２９】
ズームレンズが条件式（５）を満足することにより、望遠端における第２レンズ群の最も物体側の面と第４レンズ群の最も像側の面との光軸上の間隔が適正化される。
【手続補正７】
【補正対象書類名】明細書
【補正対象項目名】００５６
【補正方法】変更
【補正の内容】
【００５６】
本技術の一実施形態によるズームレンズにあっては、第３レンズ群が少なくとも二つのレンズによって構成されると共に第３レンズ群にレンズ間に形成された少なくとも一つの空気間隔が存在し、第３レンズ群の最も物体側に配置されたレンズの物体側の面が凸形状に形成され、第３レンズ群の最も物体側に配置されたレンズの物体側の面の頂点と第３レンズ群の最も像側に配置されたレンズの像側の頂点との間に存在する空気間隔に、光束のＦナンバーを決定するＦナンバー決定部材を配置することが望ましい。Ｆナンバー決定部材としては、例えば、開口絞りが用いられる。
【手続補正８】
【補正対象書類名】明細書
【補正対象項目名】００６４
【補正方法】変更
【補正の内容】
【００６４】
従って、ズームレンズが条件式（３）を満足することにより、望遠端における第３レンズ群の最も像側の面と第４レンズ群の最も物体側の面との光軸上の間隔が適正化され、十分な変倍効果を確保して高倍率化及び小型化を図ることができると共にレンズ同士の接触を防止することができる。
【手続補正９】
【補正対象書類名】明細書
【補正対象項目名】００８１
【補正方法】変更
【補正の内容】
【００８１】
本技術の一実施形態によるズームレンズにあっては、以下の条件式（５）を満足することが望ましい。
（５）４．２＜［Ｄ（Ｗ、２〜４）−Ｄ（Ｔ、２〜４）］／ｆＷ＜５．６
但し、
Ｄ（Ｗ、２〜４）：広角端における第２レンズ群の最も物体側の面と第４レンズ群の最も像側の面との光軸上の間隔
Ｄ（Ｔ、２〜４）：望遠端における第２レンズ群の最も物体側の面と第４レンズ群の最も像側の面との光軸上の間隔
とする。
【手続補正１０】
【補正対象書類名】明細書
【補正対象項目名】００８５
【補正方法】変更
【補正の内容】
【００８５】
従って、ズームレンズが条件式（５）を満足することにより、望遠端における第２レンズ群の最も物体側の面と第４レンズ群の最も像側の面との光軸上の間隔が適正化され、十分な変倍効果を確保して高倍率化及び小型化を図ることができると共にレンズ同士の接触を防止することができる。
【手続補正１１】
【補正対象書類名】明細書
【補正対象項目名】０１１２
【補正方法】変更
【補正の内容】
【０１１２】
開口絞りＳＴＯは光束のＦナンバーを決定するＦナンバー決定部材として機能し、第３レンズ群ＧＲ３の物体側における近傍に配置され、第３レンズ群ＧＲ３と一体に移動する。開口絞りＳＴＯの開口には正レンズＧ７の一部が像側から挿入されている。
【手続補正１２】
【補正対象書類名】明細書
【補正対象項目名】０１３３
【補正方法】変更
【補正の内容】
【０１３３】
開口絞りＳＴＯは光束のＦナンバーを決定するＦナンバー決定部材として機能し、第３レンズ群ＧＲ３の正レンズＧ７と正レンズＧ８の間に配置され、第３レンズ群ＧＲ３と一体に移動する。開口絞りＳＴＯはシャッター機構ＳＭと一体的に形成され、シャッター機構ＳＭの一部が開口絞りＳＴＯとして設けられている。
【手続補正１３】
【補正対象書類名】明細書
【補正対象項目名】０１５４
【補正方法】変更
【補正の内容】
【０１５４】
開口絞りＳＴＯは光束のＦナンバーを決定するＦナンバー決定部材として機能し、第３レンズ群ＧＲ３の物体側における近傍に配置され、第３レンズ群ＧＲ３と一体に移動する。開口絞りＳＴＯの開口には正レンズＧ７の一部が像側から挿入されている。
【手続補正１４】
【補正対象書類名】明細書
【補正対象項目名】０１７５
【補正方法】変更
【補正の内容】
【０１７５】
開口絞りＳＴＯは光束のＦナンバーを決定するＦナンバー決定部材として機能し、第３レンズ群ＧＲ３の正レンズＧ７と正レンズＧ８の間に配置され、第３レンズ群ＧＲ３と一体に移動する。開口絞りＳＴＯはシャッター機構ＳＭと一体的に形成され、シャッター機構ＳＭの一部が開口絞りＳＴＯとして設けられている。
【手続補正１５】
【補正対象書類名】明細書
【補正対象項目名】０１９４
【補正方法】変更
【補正の内容】
【０１９４】
さらに、本技術ズームレンズは、上記したように、条件式（３）を満足するように構成されており、望遠端における第３レンズ群の最も像側の面と第４レンズ群の最も物体側の面との光軸上の間隔を適正化し、十分な変倍効果を確保して高倍率化及び小型化を図ると共にレンズ同士の接触を防止するようにしている。
【手続補正１６】
【補正対象書類名】明細書
【補正対象項目名】０２２６
【補正方法】変更
【補正の内容】
【０２２６】
＜４＞前記第３レンズ群が少なくとも二つのレンズによって構成されると共に前記第３レンズ群にレンズ間に形成された少なくとも一つの空気間隔が存在し、前記第３レンズ群の最も物体側に配置されたレンズの物体側の面が凸形状形成にされ、前記第３レンズ群の最も物体側に配置されたレンズの物体側の面の頂点と前記第３レンズ群の最も像側に配置されたレンズの像側の頂点との間に存在する前記空気間隔に、光束のＦナンバーを決定するＦナンバー決定部材を配置した前記＜１＞から前記＜３＞の何れかに記載のズームレンズ。
【手続補正１７】
【補正対象書類名】明細書
【補正対象項目名】０２２８
【補正方法】変更
【補正の内容】
【０２２８】
＜６＞前記第３レンズ群が、物体側から像側へ順に配置された正レンズと正レンズと負レンズの３枚のレンズにより構成された前記＜１＞から前記＜５＞の何れかに記載のズームレンズ。
【手続補正１８】
【補正対象書類名】明細書
【補正対象項目名】０２３１
【補正方法】変更
【補正の内容】
【０２３１】
＜９＞以下の条件式（５）を満足する前記＜１＞から前記＜８＞の何れかに記載のズームレンズ。
（５）４．２＜［Ｄ（Ｗ、２〜４）−Ｄ（Ｔ、２〜４）］／ｆＷ＜５．６
但し、
Ｄ（Ｗ、２〜４）：広角端における第２レンズ群の最も物体側の面と第４レンズ群の最も像側の面との光軸上の間隔
Ｄ（Ｔ、２〜４）：望遠端における第２レンズ群の最も物体側の面と第４レンズ群の最も像側の面との光軸上の間隔
とする。